(57)【要約】【課題】比較的容易に設置することができる小物等の簡易棚を提供しようとするもの。【解決手段】壁面１等に固定する背面部２に小物等を載置する棚部３が回動可能に接合され、小物等を載置する際には前記棚部３が略水平位置に展開した状態で支持されるようにした。この小物等の簡易棚によると、壁面等に固定する背面部に小物等を載置する棚部が回動可能に接合されているので、背面部を壁面等に固定するという少ない作業で設置することが可能である。前記壁面等として、リビングその他の壁面や天井、冷蔵庫の表面、風呂場の壁面、玄関の壁面などを例示することができる。【選択図】        図１
2004298437.tif 000002
【特許請求の範囲】
【請求項１】
壁面等に固定する背面部に小物等を載置する棚部が回動可能に接合され、小物等を載置する際には前記棚部が略水平位置に展開した状態で支持されるようにしたことを特徴とする小物等の簡易棚。
【請求項２】
小物等を載置しない際には棚部を背面部へと折り畳むようにし、小物等を載置する際には棚部を展開するようにした請求項１記載の小物等の簡易棚。
【請求項３】
前記背面部と棚部とは表裏の布地間に木製材を囲繞することにより形成され、背面部と棚部との接合域は縫着により区画された請求項１又は２記載の小物等の簡易棚。
【請求項４】
前記背面部の上方と棚部の外方との間を帯状体により支持するようにした請求項１乃至３のいずれかに記載の小物等の簡易棚。
【請求項５】
前記棚部の裏面側に壁面への支持部を下方に向けて延設した請求項１乃至３のいずれかに記載の小物等の簡易棚。
【発明の詳細な説明】
【０００１】
【発明の属する技術分野】
この発明は、小物等の簡易棚に関するものである。
【０００２】
【従来の技術】
従来より、台所その他の壁などの上方空間を有効利用するために設置する棚が提案されている。
【０００３】
図１０に示すように、この棚は左右方向に離間した一対の支柱２１に棚板２２が着脱可能に設けられており、前記棚板２２は左右一対のブラケット板２３とこのブラケット板２３上に置かれる物品載置板２４を備えている構造である（例えば、特許文献１参照）。
【０００４】
しかし、前記棚を設置する際には先ず一対の支柱２１をネジや釘などで壁面に固定し、次いで前記支柱２１に左右一対のブラケット板２３を固定し、その後前記ブラケット板２３上に物品載置板２４を載置して固定する必要があり、設置に非常に手間がかかるという問題があった。
【０００５】
【特許文献１】
特開平１０−２４８６６４号公報（第２頁、図７）
【０００６】
【発明が解決しようとする課題】
そこでこの発明は、比較的容易に設置することができる小物等の簡易棚を提供しようとするものである。
【０００７】
【課題を解決するための手段】
前記課題を解決するためこの発明では次のような技術的手段を講じている。
【０００８】
▲１▼  この発明の小物等の簡易棚は、壁面等に固定する背面部に小物等を載置する棚部が回動可能に接合され、小物等を載置する際には前記棚部が略水平位置に展開した状態で支持されるようにしたことを特徴とする。
【０００９】
この小物等の簡易棚によると、壁面等に固定する背面部に小物等を載置する棚部が回動可能に接合されているので、背面部を壁面等に固定するという少ない作業で設置することが可能である。また小物等を載置する際には、棚部が略水平位置に展開した状態で支持されるようにする。
【００１０】
前記背面部と棚部との材質として、木製板（通常の木材の他にコルク材のものやベニヤ板等がある）、アルミ、鉄、真鍮など金属板、ポリ塩化ビニル系樹脂、ポリオレフィン系樹脂、ＡＢＳ樹脂、ポリスチレン系樹脂などの発泡・非発泡の合成樹脂板、ダンボールなどの紙板などを例示することができる。
【００１１】
また前記壁面等として、リビングその他の壁面や天井、冷蔵庫の表面、風呂場の壁面、玄関の壁面などを例示することができる。
【００１２】
壁面等に背面部を固定する態様として、背面部に孔を形成しておき、前記孔により壁などに押しピンなどで固着したり、フック等を壁に取り付けてこれに懸架したり、天井などからの紐、ロープやチェーンなどを前記孔に通して吊り下げたりすることができる。また、背面部に磁石板を配しその吸着力を利用して冷蔵庫の表面などの金属部分に固定したり、吸盤による吸引力を利用して風呂場やトイレ、洗面場などのタイル部分に固着させたりすることができ、また面係着テープで布状の壁面に固定したり、ホックやボタンなどの雄部と雌部との係止を利用したりすることもできる。
【００１３】
▲２▼  小物等を載置しない際には棚部を背面部へと折り畳むようにし、小物等を載置する際には棚部を展開するようにしてもよい。
【００１４】
このように構成すると、日常生活で棚が不用の際は棚部を背面部の方へ回動することにより収納することができ、棚を使用するときは収納された棚部を回動させることができるので、室内その他の空間を有効に使用することができる。
【００１５】
▲３▼  前記背面部と棚部とは表裏の布地間に木製材を囲繞することにより形成され、背面部と棚部との接合域は縫着により区画されたこととしてもよい。
【００１６】
このように構成すると、軽量なものとして且つ比較的安価に製造することができる。ここで、背面部と棚部との接合域は縫着により区画されたので、囲繞された木製材は区画された領域内に存置される。なお他の折り畳み式構造として、背面部と棚部とを蝶番などにより回動可能に接合させることもできる。
【００１７】
▲４▼  前記背面部の上方と棚部の外方との間を帯状体により支持するようにしたこととしてもよい。
【００１８】
前記帯状体として、綿などの天然繊維、アルミ、鉄、銀、真鍮などの金属、ポリ塩化ビニル系樹脂やポリオレフィン系樹脂、ＡＢＳ樹脂などの合成樹脂などの材質のものにより構成されたもので、紐・ロープ状、バンド状、チェーン状、管状、柱状の部材を例示することができる。
【００１９】
このように構成すると、簡易な構造として、棚部が略水平位置に展開した状態で支持されるようにすることができる。
【００２０】
▲５▼  前記棚部の裏面側に壁面への支持部を下方に向けて延設してもよい。
【００２１】
このように構成すると、壁面への支持部により棚部が略水平位置に展開した状態に支持することができるが、帯状体を設けた場合と比較して棚部の上部における利用空間を広くとることができる。
【００２２】
【発明の実施の形態】
以下、この発明の実施の形態を図面を参照して説明する。
【００２３】
（実施形態１）
図１乃至図３に示すように、この実施形態の小物等の簡易棚は、居間その他の壁面１（図３参照）等に固定する背面部２に、小物等（図示せず）を載置する棚部３が回動可能に接合されている。前記棚部３には、ＣＤ（コンパクトディスク）やＭＤ（ミニディスク）その他の小物等を載置することができる。
【００２４】
この小物等の簡易棚の棚部３に載置する小物等として他に、トイレで使用する場合は芳香剤を、キッチンで使用する場合は胡椒その他のスパイス類を、玄関で使用する場合は鍵などを例示することができる。
【００２５】
前記背面部２と棚部３とは、それぞれ表裏の綿製の布地４の間に木製材５（コルク材のような軟質の材質のもの）を囲繞することにより形成され（図３参照）、背面部２と棚部３との布地の接合域６は縫着により区画されるようにしている。このように布地を利用する他に、木製材自体から成る背面部２と棚部３とを蝶番７などにより回動可能に接合させることもできる（図４参照）。
【００２６】
そして、背面部２の上方には４つの孔８を穿設しそれぞれ周囲を鋲９留めしており、壁１にフック１０（図３参照）や押しピンなどで前記孔８を介して固着するようにしている。また、天井などからの紐、ロープやチェーンなどを前記孔８に通して吊り下げたりすることができる。なお、背面部２に磁石板を配しその吸着力を利用して冷蔵庫の表面などの金属部分に固定したり、吸盤による吸引力を利用して風呂場やトイレ、洗面場などのタイル部分に固着させたりすることができ、また面係着テープで布状の壁面に固定したり、ホックやボタンなどの雄部と雌部との係止を利用したりすることもできる。
【００２７】
小物等を載置しない際には棚部３を背面部２へと折り畳むようにし、小物等を載置する際には棚部３を展開するようにしている。そして小物等を載置する際には、前記棚部３が略水平位置に展開した状態で支持されるようにしている。
【００２８】
前記背面部２の上方と棚部３の外方との間の両サイドは、それぞれ布地製の帯状体１１により支持するようにしている。前記布地として、背面部２や棚部３の木製材を囲繞したものと同じ材質のものを用いた。棚部３を展開した状態では略垂直姿勢の背面部２と略水平位置の棚部３とは、断面略Ｌ字状となっている。一方、棚部３を背面部２へと折り畳む際には、帯状体１１の両端に固定した釦１２の凸部と凹部とにより係止するようにしている。
【００２９】
ここで前記のような布地製の帯状体１１ではなく、弾性を有するバネ状薄板金属板１３などを利用することもできる（図５参照）。また前記のような布地製の帯状体１１の代りに、棚部３の内方側と壁面等との当接領域に略三角形状の支持部材１４を配設するようにしてもよい（図６、図７参照）。この略三角形状の支持部材が壁面に当接することにより、棚部３は略水平位置に支持される。一方、棚部３を背面部２へと折り畳む際には、前記略三角形状の支持部材も棚部３に向けて畳めるようにすると見栄えよく収容することができる。
【００３０】
また、前記布地製の帯状体１１と背面部２の上方との縫着部位は鋲９留めしており（図２参照）、この鋲９留め部分によって、棚部３に載置した小物等の荷重が分散してその上の孔８が破れてきにくいという利点がある。
【００３１】
さらに、棚部３の外方の開放端側には布地内に心棒１５を巻き込むように挿入して若干水平面よりも盛り上がらせた箇所を形成しており、棚部３に載置した小物等が開放端側にずれてきても落下し難くしている。また棚部３を背面部２に折り畳んだ状態で、前記棚部３の正面に見える箇所にポケット部１６が現れるように縫製している。
【００３２】
次に、この実施形態の小物等の簡易棚の使用状態を説明する。
【００３３】
この小物等の簡易棚によると、壁面等に固定する背面部２に小物等を載置する棚部３が回動可能に接合されているので、背面部２を壁面等に固定するという少ない作業で設置することが可能であり、比較的容易に設置することができるという利点がある。また小物等を載置する際には、棚部３が略水平位置に展開した状態で支持されるようにする。
【００３４】
小物等を載置しない際には棚部３を背面部２へと折り畳むようにし、小物等を載置する際には棚部３を展開するようにしており、日常生活で棚が不用の際は棚部３を背面部２の方へ回動することにより収納することができ、棚を使用するときは収納された棚部３を回動させることができるので、室内その他の空間を有効に使用することができるという利点がある。
【００３５】
前記背面部２と棚部３とは表裏の布地間に木製材を囲繞することにより形成され、背面部２と棚部３との接合域６は縫着により区画されており、軽量なものとして且つ比較的安価に製造することができるという利点がある。ここで、背面部２と棚部３との接合域６は縫着により区画されたので、囲繞された木製材は区画された領域内に好適に存置される。
【００３６】
前記背面部２の上方と棚部３の外方との間を帯状体１１により支持するようにしており、簡易な構造として、棚部３が略水平位置に展開した状態で支持されるようにすることができるという利点がある。
【００３７】
（実施形態２）
次に、実施形態２を実施形態１との相違点を中心に説明する。
【００３８】
図８及び図９に示すように、この小物等の簡易棚は、実施形態１と同様に、壁面等に固定する背面部２に小物等を載置する棚部３が回動可能に接合され、小物等を載置する際には前記棚部３が略水平位置に展開した状態で支持されるようにしている。また、背面部２の上方には、壁にフックや押しピンなどで固着するための４つの孔８を穿設している。
【００３９】
そして、木製材自体から成る背面部２と棚部３とを、蝶番７により回動可能に接合させている。また、小物等を載置しない際には棚部３を背面部２へと折り畳み、鉤型フックＨにより背面部２へと固定するようにしている。
【００４０】
小物等を載置する際に前記棚部３が略水平位置に展開した状態で支持されるようにするため、棚部３の両側端部の裏面側に下方に向けて壁面への支持部１７として延設している。この壁面への支持部１７は壁面側に略直角部１８を有する形状としており、この直角の方向は背面部２の下方に延長する方向であって且つ棚部３の壁面への支持部１７の下面と水平となる方向としている。前記壁面への支持部１７が壁面に当接することにより、棚部３は略水平位置に支持される。
【００４１】
また棚部３を背面部２に折り畳んだ状態で、前記棚部３の正面に見える箇所の上方に棒状体１９を掛け渡しており、この棒状体１９にハンドタオル等を掛けることができるようにしている。なお棚部３を背面部２へと折り畳んだ状態でも、棚部３を背面部２から展開した状態でも、前記棒状体１９にハンドタオル等を掛けることができるようにしている。
【００４２】
この実施形態２では実施形態１のような左右の帯状体１１がない分、棚の上部における利用空間を広くとることができ、より棚を有効に活用することができると共に、棚部３の上部での視覚に入る部位の空間が広くなったことにより、棚全体としての美観を向上させることができるという利点がある。
【００４３】
【発明の効果】
この発明は上述のような構成であり、次の効果を有する。
【００４４】
背面部を壁面等に固定するという少ない作業で設置することが可能であるので、比較的容易に設置することができる小物等の簡易棚を提供することができる。
【図面の簡単な説明】
【図１】この発明の小物等の簡易棚の実施形態１で棚部を背面部へと折り畳んだ状態を説明する斜視図。
【図２】図１の小物等の簡易棚の棚部を展開した状態を説明する斜視図。
【図３】図１の小物等の簡易棚の使用状態を説明する断面図。
【図４】実施形態１の小物等の簡易棚の他の実施態様を説明する図。
【図５】実施形態１の小物等の簡易棚の更に他の実施態様を説明する図。
【図６】実施形態１の小物等の簡易棚の更に他の実施態様を説明する図。
【図７】図６の棚部を展開した状態を説明する図。
【図８】この発明の小物等の簡易棚の実施形態２で棚部を背面部へと折り畳んだ状態を説明する斜視図。
【図９】図８の小物等の簡易棚の棚部を展開した状態を説明する斜視図。
【図１０】従来の棚の構造を説明する分解斜視図。
【符号の説明】
１  壁面
２  背面部
３  棚部
４  布地
５  木製材
６  接合域
１１  帯状体
１７  支持部
【図１】
2004298437.tif 000003
【図２】
2004298437.tif 000004
【図３】
2004298437.tif 000005
【図４】
2004298437.tif 000006
【図５】
2004298437.tif 000007
【図６】
2004298437.tif 000008
【図７】
2004298437.tif 000009
【図８】
2004298437.tif 000010
【図９】
2004298437.tif 000011
【図１０】
2004298437.tif 000012